【手続補正書】
【提出日】平成19年2月20日(2007.2.20)
【手続補正１】
【補正対象書類名】明細書
【補正対象項目名】特許請求の範囲
【補正方法】変更
【補正の内容】
【特許請求の範囲】
【請求項１】 表面に木目外観の化粧層が形成され、且つ四周側端面に雌雄の実部が形成された複数枚の長尺木質床材と、長時間残光性を有する放射性物質未含有の蓄光性塗材を用いて形成された蓄光層を含む装飾化粧層が形成され、且つ上記長尺木質床材の雌雄の実部に嵌合可能な雌雄の実部が側端面に形成された、上記長尺木質床材の表面幅寸法と同じ表面幅寸法を有する四角形状の複数枚の装飾発光性小片部材とを組み合わせて形成されていることを特徴とする発光装飾床。
【請求項２】 装飾化粧層が、下から上に順に、隠蔽性ベース層、印刷模様層、透明性トップ塗料塗布層からなるとともに、少なくとも上記いずれかの層が蓄光層に形成されていることを特徴とする請求項１に記載の発光装飾床。
【請求項３】 装飾発光性小片部材の基材が、長尺木質床材あるいはその製造中間物を幅方向に平行に切断して形成されたものである請求項１に記載の発光装飾床。
【手続補正２】
【補正対象書類名】明細書
【補正対象項目名】０００７
【補正方法】変更
【補正の内容】
【０００７】
また、上記硫化物系の発光材料にラジウムなどの放射性物質を混合した蓄光塗料を用いれば、残光の時間を長くし、その明るさを増やすことができることも知られているが、昨今の健康志向の中で住宅の床にこのような放射性物質を混合したものは使用し難い。
【手続補正３】
【補正対象書類名】明細書
【補正対象項目名】００１０
【補正方法】変更
【補正の内容】
【００１０】
【課題を解決するための手段】
このため、本願請求項１の発明の発光装飾床は、表面に木目外観の化粧層が形成され、且つ四周側端面に雌雄の実部が形成された複数枚の長尺木質床材と、長時間発光性を有する放射性物質未含有の蓄光性塗材を用いて形成された蓄光層を含む装飾化粧層が設けられ、且つ上記長尺木質床材の雌雄の実部に嵌合可能な雌雄の実部が側端面に形成された、上記長尺木質床材の表面幅寸法と同じ表面幅寸法の四角形状の複数枚の装飾発光性小片部材とを組み合わせて形成する構成とした。
【手続補正４】
【補正対象書類名】明細書
【補正対象項目名】００１１
【補正方法】変更
【補正の内容】
【００１１】
また、請求項２の発明の発光装飾床は、装飾化粧層を、下から上に順に、隠蔽性ベース層、印刷模様層、透明性トップ塗料塗布層で形成するとともに、少なくとも上記いずれかの層を蓄光層に形成する構成とした。
【手続補正５】
【補正対象書類名】明細書
【補正対象項目名】００１３
【補正方法】変更
【補正の内容】
【００１３】
【作用】
上記請求項１の発光装飾床は、表面に木目外観の化粧層を有する長尺木質床材と、表面に長時間発光性を有する放射性物質未含有の蓄光性塗材を用いて形成された蓄光層を含む装飾化粧層が設けられた装飾発光性小片部材とを組み合わせて形成しているので、明るい時には、アクセント性、装飾性に優れた装飾床を、木質床を施工する要領で施工性良く確実に施工することができ、また暗い時には、蓄光層の残光により夜間消灯してから朝まで長時間発光させることができ、夜間の歩行時の補助や、幻想的な雰囲気の現出を、光や紫外線などのエネルギーの必要なしにすることができる。
【手続補正６】
【補正対象書類名】明細書
【補正対象項目名】００１５
【補正方法】変更
【補正の内容】
【００１５】
また、請求項２の発光装飾床は、装飾化粧層を、下から上に順に、隠蔽性ベース層、印刷模様層、透明性トップ塗料塗布層とするとともに、少なくとも上記いずれかの層を蓄光層に形成しているので、請求項１の作用効果に加えてそのアクセント的な装飾性を一層高め、また暗い中でのより幻想的な空間の現出を可能とすることができる。
【手続補正７】
【補正対象書類名】明細書
【補正対象項目名】００２５
【補正方法】変更
【補正の内容】
【００２５】
装飾発光性小片部材（２）の表面には、図３の（Ｗ）の拡大図に示すように、下から順に隠蔽性ベース層（６ａ）、印刷模様層（６ｂ）、透明性トップ塗料塗布層（６ｃ）からなる装飾化粧層（６）が設けられている。そして、この装飾化粧層（６）を形成する上記３つの層の少なくともいずれかの層が、長時間残光性を発現する蓄光顔料を含有する蓄光層に形成されている。
【手続補正８】
【補正対象書類名】明細書
【補正対象項目名】００２９
【補正方法】変更
【補正の内容】
【００２９】
上記隠蔽性ベース層（６ａ）、印刷模様層（６ｂ）、透明性トップ塗料塗布層（６ｃ）の塗料やインクに含有させる蓄光顔料は、ラジウムなどの放射性物質が含まれていなくても、消灯後少なくとも数時間以上は、十分な残光性能を発現するものを使用する。
【手続補正９】
【補正対象書類名】明細書
【補正対象項目名】００３０
【補正方法】変更
【補正の内容】
【００３０】
このような蓄光顔料として、ユーロピウム、ネオジム、ジスプロシウム、ストロンチウムといった希土類元素を含むアルカリ土類アルミン酸塩等があり、商品としては、根本特殊化学（株）の例えば「商品名：Ｎ夜光ルミノーバ  Ｇ−３００Ｍ」を挙げることができる。
【手続補正１０】
【補正対象書類名】明細書
【補正対象項目名】００３１
【補正方法】変更
【補正の内容】
【００３１】
上記蓄光顔料は、隠蔽性ベース層（６ａ）、印刷模様層（６ｂ）、透明性トップ塗料塗布層（６ｃ）のうちの少なくとも１以上の層に含有させてその層を蓄光層に形成する。蓄光顔料の含有量は固形分換算で２０ｇ／ｍ2 〜２００ｇ／ｍ2である。２０ｇ／ｍ2未満となると、残光の明るさや残光時間が不十分となり、また２００ｇ／ｍ2 を超えても効果の割に不経済となるだけである。また、このような蓄光層は、蓄光顔料の含有によりその耐摩耗性が向上する。
【手続補正１１】
【補正対象書類名】明細書
【補正対象項目名】００３７
【補正方法】変更
【補正の内容】
【００３７】
また、上記長尺木質床材（１ｅ）の製造中間物である突き板貼り長尺木質板を、幅方向に平行に切断し、この切断面に雌雄の実加工を施して、厚さ１２ｍｍ、幅１５１．５ｍｍ、長さ１５１．５ｍｍの正四角形状の装飾発光性小片部材の基板を得た。次いで、この装飾発光性小片部材の基板の表面に、ウレタン樹脂系白色エナメル塗料１００重量部と根本特殊化学（株）製の蓄光顔料（商品名、Ｎ夜光ルミノーバ Ｇー３００Ｍ）１００重量部とを混合した蓄光性塗材を、１５０ｇ／ｍ2（固形分換算で１００ｇ／ｍ2  ）塗布し乾燥させて蓄光層である隠蔽性ベース塗料塗布層を形成した。更に、この隠蔽性ベース塗料塗布層の表面に、スクリーン印刷で図７に示す幾何学模様を印刷して印刷模様層を形成し、また、更にその表面に透明性ウレタン樹脂塗料を塗布して透明性トップ塗料塗布層を形成して、装飾発光性小片部材（２ｅ）を得た。
【手続補正１２】
【補正対象書類名】明細書
【補正対象項目名】００３９
【補正方法】変更
【補正の内容】
【００３９】
このようにして得られた発光装飾床Ａ４は、明るい時には従来の木質フロアーにはないアクセント性に優れた外観を有し、また夜間消灯後等の暗い時には、消灯前に約３０分程度蛍光灯の光を浴びさせておくだけで、装飾発光性小片部材（２ｅ）の蓄光層である隠蔽性ベース塗料塗布層に畜光された残光が幻想的に輝き、印刷模様層を陰刻模様のように８時間以上に亘って浮かびあがらせることができた。
【手続補正１３】
【補正対象書類名】明細書
【補正対象項目名】００４０
【補正方法】変更
【補正の内容】
【００４０】
【具体的実施例２】
上記具体的実施例１で用いた装飾発光性小片部材の基板の表面に、隠蔽性を有する淡色系の抽象柄を転写印刷して隠蔽性ベース層を形成し、この上に白顔料を含むアクリル系白色樹脂１００重量部と上記具体的実施例１で用いた蓄光顔料１５０重量部を混合した白色インクを用いて、図８に示す幾何学模様をスクリーン印刷により印刷し、蓄光層である印刷模様層を形成した。印刷模様層部分のインクの塗布量は、２００ｇ／ｍ2（固形分換算で１５０ｇ／ｍ2）であった。更にこの印刷模様層の上に透明性アクリル樹脂系トップ塗料を塗布して装飾発光性小片部材（２ｆ）を得た。
【手続補正１４】
【補正対象書類名】明細書
【補正対象項目名】００４３
【補正方法】変更
【補正の内容】
【００４３】
【効果】
以上の説明から明らかなように、本願発明の請求項１の発光装飾床によれば、明るい時にはアクセント性、装飾性に優れた装飾床となり、暗い時には、蓄光層の残光により長時間発光して、夜間の歩行の補助や、幻想的な雰囲気の現出を、照明や紫外線などのエネルギーの必要なしにすることができる。また、通常の木質床の施工と同じ要領で施工性良く確実に施工することができる。そして、長尺木質床材と装飾発光性小片部材とを随時組み合わせて、多様なバリエーションの発光装飾床を形成できる。